(57)【要約】【課題】従来のＢＥＲ測定装置では、ＢＥＲ値を高速に検知できないため、ＢＥＲ値が所定の値以上になっても速やかに予備の送信機に切り替えることが困難であった。【解決手段】被測定信号を復号する復号回路５、復号回路により復号された信号をＲＳ誤り訂正するＲＳ誤り訂正回路５、復号回路の出力信号をＲＳ誤り訂正回路での誤り訂正に要した時間だけ遅延させる遅延回路７、遅延回路の出力信号と前記ＲＳ誤り訂正回路の出力信号とを比較し両出力信号のビツト間に相違があるごとに計数値を１増加することを、リセット時点から繰り返し行うビット誤り計数回路６、およびビット誤り計数回路の出力計数値とあらかじめ定めた値（ＢＥＲ管理下限値）とを比較し、前記出力計数値が前記あらかじめ定めた値に達したときＢＥＲ管理下限値検出信号を出力するＢＥＲ管理下限値比較回路９を具えて構成した。【選択図】        図１
2004228973.tif 000002
【特許請求の範囲】
【請求項１】
被測定信号を復号する復号回路、
該復号回路により復号された信号をＲＳ誤り訂正するＲＳ誤り訂正回路、
前記復号回路の出力信号を前記ＲＳ誤り訂正回路での誤り訂正に要した時間だけ遅延させる遅延回路、
該遅延回路の出力信号と前記ＲＳ誤り訂正回路の出力信号とを比較し両出力信号のビツト間に相違があるごとに計数値を１増加することを、リセット時点から繰り返し行うビット誤り計数回路、および
該ビット誤り計数回路の出力計数値とあらかじめ定めた値（ＢＥＲ管理下限値）とを比較し、前記出力計数値が前記あらかじめ定めた値に達したときＢＥＲ管理下限値検出信号を出力するＢＥＲ管理下限値比較回路
を具えてなることを特徴とする高速ＢＥＲ測定装置。
【請求項２】
請求項１記載の高速ＢＥＲ測定装置において、
前記被測定信号はＩＳＤＢ−Ｔ信号であり、前記復号回路はビタビ復号回路であることを特徴とする高速ＢＥＲ測定装置。
【請求項３】
被測定信号を内符号訂正する第１の誤り訂正回路、
該第１の誤り訂正回路により内符号訂正された信号を外符号訂正する第２の誤り訂正回路、
前記第１の誤り訂正回路の出力信号を前記第２の誤り訂正回路での誤り訂正に要した時間だけ遅延させる遅延回路、
該遅延回路の出力信号と前記第２の誤り訂正回路の出力信号とを比較し両出力信号のビツト間に相違があるごとに計数値を１増加することを、リセット時点から繰り返し行うビット誤り計数回路、および
該ビット誤り計数回路の出力計数値とあらかじめ定めた値（ＢＥＲ管理下限値）とを比較し、前記出力計数値が前記あらかじめ定めた値に達したときＢＥＲ管理下限値検出信号を出力するＢＥＲ管理下限値比較回路
を具えてなることを特徴とする高速ＢＥＲ測定装置。
【請求項４】
請求項１乃至３のいずれか１項記載の高速ＢＥＲ測定装置において、該装置はさらに、
前記ビタビ復号回路または前記第１の誤り訂正回路より前段に
被測定信号を任意の時間だけ遅延する遅延回路、
該遅延回路の出力信号を任意のレベルに調整するレベル調整回路、および
前記被測定信号と前記レベル調整回路の出力信号とを加算する加算器
を具えなることを特徴とする高速ＢＥＲ測定装置。
【請求項５】
請求項１乃至４のいずれか１項記載の高速ＢＥＲ測定装置において、該装置はさらに、
ＢＥＲ値を出力するＢＥＲ換算回路、
等価Ｃ／ＮおよびＣ／Ｎマージンを計算する等価Ｃ／ＮおよびＣ／Ｎマージン計算回路、および
前記ＢＥＲ換算回路の出力信号および前記等価Ｃ／ＮおよびＣ／Ｎマージン計算回路の出力信号を表示する表示部
を具えてなることを特徴とする高速ＢＥＲ測定装置。
【請求項６】
請求項１乃至５のいずれか１項記載の高速ＢＥＲ測定装置を用いて構成した自動モニタ装置であって、送信機または中継送信機から送信空中線への給電線に電磁結合させて取り出した被測定信号を前記高速ＢＥＲ測定装置に入力し、送信出力のＢＥＲ値、等価Ｃ／ＮおよびＣ／Ｎマージンを表示させ、異常時には、アラームを送出するとともに、予備機がある場合には該予備機に高速で切換えるようにしたことを特徴とする自動モニタ装置。
【請求項７】
請求項６記載の自動モニタ装置において、前記予備機がある場合には、該予備機にも、ＢＥＲ値、等価Ｃ／ＮおよびＣ／Ｎマージンを表示させるとともに、異常時には、アラームを送出するための前記高速ＢＥＲ測定装置が配置されていることを特徴とする自動モニタ装置。
【請求項８】
請求項１乃至５のいずれか１項記載の高速ＢＥＲ測定装置を用いて構成した自動モニタ装置であって、中継送信機の受信空中線から分岐して取り出した被測定信号を前記高速ＢＥＲ測定装置に入力し、受信デジタル波のＣ／Ｎマージンを表示させ、異常時には、アラームを送出するとともに、予備の受信空中線がある場合には該予備の受信空中線に高速で切換えるようにしたことを特徴とする自動モニタ装置。
【請求項９】
請求項１乃至５のいずれか１項記載の高速ＢＥＲ測定装置を用いて構成した自動モニタ装置であって、中継送信機の受信部および送信部からそれぞれ取り出した被測定信号を個別の高速ＢＥＲ測定装置に入力し、それぞれＢＥＲ値、等価Ｃ／ＮおよびＣ／Ｎマージンを表示させることにより、中継送信機の異常箇所がどこであるかを見分け得るようにしたことを特徴とする自動モニタ装置。
【請求項１０】
請求項１乃至５のいずれか１項記載の高速ＢＥＲ測定装置を用いて構成した自動モニタ装置であって、中継送信機の受信ルートを異にする現用および予備の受信空中線からそれぞれ分岐して取り出した被測定信号を個別の高速ＢＥＲ測定装置に入力し、それぞれ受信デジタル波のＣ／Ｎマージンを表示させ、異常時には、アラームを送出するとともに、予備または現用の受信空中線に高速で切換えるようにしたことを特徴とする自動モニタ装置。
【請求項１１】
請求項１乃至５のいずれか１項記載の高速ＢＥＲ測定装置を用いて構成した自動モニタ装置であって、放送波の受信信号を前記高速ＢＥＲ測定装置に入力し、ＢＥＲ値、等価Ｃ／ＮおよびＣ／Ｎマージンを表示させるとともに、異常時には、アラームを送出することにより、送信機または中継送信機の異常を高速に検出し得るようにしたことを特徴とする自動モニタ装置。
【発明の詳細な説明】
【０００１】
【発明の属する技術分野】
本発明は、地上デジタルテレビ放送の放送波であるＩＳＤＢ−Ｔ（ＩｎｔｅｇｒａｔｅｄＳｅｒｖｉｃｅｓ  Ｄｉｇｉｔａｌ  Ｂｒｏａｒｄｃａｓｔｉｎｇ−Ｔｅｒｒｅｓｔｒｉａｌ）信号等デジタル波の高速ＢＥＲ測定装置およびそれを用いて構成した自動モニタ装置に関し、特に、ＩＳＤＢ−Ｔ信号を増幅して送信するデジタル送信機や、デジタル中継送信機等の動作状態のモニタに使用して有効なものである。
【０００２】
【従来の技術】
ＩＳＤＢ−Ｔ信号のようなデジタル波の質は、最終的に信号の状態はＢＥＲ（ビット誤り率）で決定される。特に、ＢＥＲがある値を越えるとまったく受信できなくなる、いわゆるクリフエフェクト（Ｃｌｉｆｆ  Ｅｆｆｅｃｔ）現象があり、ＢＥＲの管理は、安定な放送サービスを行う上で必要不可欠である。
【０００３】
また、デジタル波の等価Ｃ／Ｎと所要Ｃ／Ｎの差であるＣ／Ｎマージンは、クリフエフェクト現象に至るまでのデジタル波の質を表し、デジタル送信機が異常状態に達するのを予防保全する上で重要である。
【０００４】
また、デジタル波を生成するデジタル送信機は、送信出力の低下だけでなく、ＢＥＲの劣化を検知し、ＢＥＲがあらかじめ定めた値を越えたとき送信機に異常があると判断して、予備の送信機に切り替えることが必要になるほか、Ｃ／Ｎマージンの低下を検出して警報（アラーム）を送出する必要があり、安定な放送サービスを提供するには、これらの動作を高速に終える必要がある。
なお、デジタル波のＢＥＲを測定してＣ／Ｎに換算することが記載されているものとして特許文献１がある。
【０００５】
【特許文献１】
特開２００１−１９７０１６号公報
【０００６】
【発明が解決しようとする課題】
従来、ＢＥＲを管理するものに、被監視機器への入力信号あるいは放送波等の出力信号を基準信号として行うもの（例えば、本発明者らの発明に係る特願２００１−３４０８１４号「モニタ装置」）があるが、この装置では、ＢＥＲの異常を高速に検知できないため、ＢＥＲがある値以上になっても速やかに予備の送信機に切り替えることが困難であるほか、Ｃ／Ｎマージンの測定ができなかった。
また、上記特許文献１に記載の方法は、Ｃ／Ｎを測定する方法として有効であるが、１つの測定値を得るのに２回の測定操作を行う必要があり、送信機のＣ／Ｎ監視など、高速、かつ常に連続してＣ／Ｎの測定、監視を必要とする用途には適しない。
【０００７】
すなわち、従来のＢＥＲ測定装置においては、ビット誤り計数回路の計数出力を一定時間間隔で読み出すとともにリセットする、という方法が採られていたため、読み出す以前にＢＥＲ値がすでに高い値になっていたということもあり得て、予備の送信機に高速で切り替えるなどの対応がとり得なかった。これについては、図３（ｂ）を用いて後述する。
【０００８】
本発明の目的は、ＩＳＤＢ−Ｔ信号のような外符号と内符号を用いて符号化変調されたＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式のデジタル波に対して、高速で動作する高速ＢＥＲ測定装置およびそれを用いて構成した自動モニタ装置を提供することにある。
【０００９】
このような高速ＢＥＲ測定装置および自動モニタ装置を具えることにより、
１．送信機入力は正常であるが、送信機出力が異常のときに警報を出すとともに、予備系に切り換える機能を具えたデジタル送信機の自動モニタ
２．１．のデジタル送信機の自動モニタ機能に加え、中継送信機の入力が異常のときに警報を出すとともに、予備の送信機に切り換える機能を具えたデジタル中継送信機の自動モニタ
３．デジタル送信機への入力信号、出力信号、および放送波についてＣ／Ｎマージンの監視
等が可能になる。
【００１０】
【課題を解決するための手段】
上記目的を達成するため、本発明高速ＢＥＲ測定装置は、被測定信号を復号する復号回路、該復号回路により復号された信号をＲＳ誤り訂正するＲＳ誤り訂正回路、前記復号回路の出力信号を前記ＲＳ誤り訂正回路での誤り訂正に要した時間だけ遅延させる遅延回路、該遅延回路の出力信号と前記ＲＳ誤り訂正回路の出力信号とを比較し両出力信号のビツト間に相違があるごとに計数値を１増加することを、リセット時点から繰り返し行うビット誤り計数回路、および該ビット誤り計数回路の出力計数値とあらかじめ定めた値（ＢＥＲ管理下限値）とを比較し、前記出力計数値が前記あらかじめ定めた値に達したときＢＥＲ管理下限値検出信号を出力するＢＥＲ管理下限値比較回路を具えてなることを特徴とするするものである。
【００１１】
また、本発明高速ＢＥＲ測定装置は、前記被測定信号がＩＳＤＢ−Ｔ信号であり、前記復号回路がビタビ復号回路であることを特徴とするものである。
【００１２】
また、本発明高速ＢＥＲ測定装置は、被測定信号を内符号訂正する第１の誤り訂正回路、該第１の誤り訂正回路により内符号訂正された信号を外符号訂正する第２の誤り訂正回路、前記第１の誤り訂正回路の出力信号を前記第２の誤り訂正回路での誤り訂正に要した時間だけ遅延させる遅延回路、該遅延回路の出力信号と前記第２の誤り訂正回路の出力信号とを比較し、両出力信号のビツト間に相違があるごとに計数値を１増加することを、リセット時点から繰り返し行うビット誤り計数回路、および該ビット誤り計数回路の出力計数値とあらかじめ定めた値（ＢＥＲ管理下限値）とを比較し、前記出力計数値が前記あらかじめ定めた値に達したときＢＥＲ管理下限値検出信号を出力するＢＥＲ管理下限値比較回路を具えてなることを特徴とするものである。
【００１３】
また、本発明高速ＢＥＲ測定装置は、さらに、前記ビタビ復号回路または前記第１の誤り訂正回路より前段に被測定信号を任意の時間だけ遅延する遅延回路、該遅延回路の出力信号を任意のレベルに調整するレベル調整回路、および前記被測定信号と前記レベル調整回路の出力信号とを加算する加算器を具えなることを特徴とするものである。
【００１４】
また、本発明高速ＢＥＲ測定装置は、さらに、ＢＥＲ値を出力するＢＥＲ換算回路、等価Ｃ／ＮおよびＣ／Ｎマージンを計算する等価Ｃ／ＮおよびＣ／Ｎマージン計算回路、および前記ＢＥＲ換算回路の出力信号および前記等価Ｃ／ＮおよびＣ／Ｎマージン計算回路の出力信号を表示する表示部を具えてなることを特徴とするものである。
【００１５】
また、本発明による自動モニタ装置は、本発明高速ＢＥＲ測定装置を用いて構成した自動モニタ装置であって、送信機または中継送信機から送信空中線への給電線に電磁結合させて取り出した被測定信号を前記高速ＢＥＲ測定装置に入力し、送信出力のＢＥＲ値、等価Ｃ／ＮおよびＣ／Ｎマージンを表示させ、異常時には、アラームを送出するとともに、予備機がある場合には該予備機に高速で切換えるようにしたことを特徴とするものである。
【００１６】
また、本発明による自動モニタ装置は、前記予備機がある場合には、該予備機にも、ＢＥＲ値、等価Ｃ／ＮおよびＣ／Ｎマージンを表示させるとともに、異常時には、アラームを送出するための前記高速ＢＥＲ測定装置が配置されていることを特徴とするものである。
【００１７】
また、本発明による自動モニタ装置は、本発明高速ＢＥＲ測定装置を用いて構成した自動モニタ装置であって、中継送信機の受信空中線から分岐して取り出した被測定信号を前記高速ＢＥＲ測定装置に入力し、受信デジタル波のＣ／Ｎマージンを表示させ、異常時には、アラームを送出するとともに、予備の受信空中線がある場合には該予備の受信空中線に高速で切換えるようにしたことを特徴とするものである。
【００１８】
また、本発明による自動モニタ装置は、本発明高速ＢＥＲ測定装置を用いて構成した自動モニタ装置であって、中継送信機の受信部および送信部からそれぞれ取り出した被測定信号を個別の高速ＢＥＲ測定装置に入力し、それぞれＢＥＲ値、等価Ｃ／ＮおよびＣ／Ｎマージンを表示させることにより、中継送信機の異常箇所がどこであるかを見分け得るようにしたことを特徴とするものである。
【００１９】
また、本発明による自動モニタ装置は、本発明高速ＢＥＲ測定装置を用いて構成した自動モニタ装置であって、中継送信機の受信ルートを異にする現用および予備の受信空中線からそれぞれ分岐して取り出した被測定信号を個別の高速ＢＥＲ測定装置に入力し、それぞれ受信デジタル波のＣ／Ｎマージンを表示させ、異常時には、アラームを送出するとともに、予備または現用の受信空中線に高速で切換えるようにしたことを特徴とするものである。
【００２０】
また、本発明による自動モニタ装置は、本発明高速ＢＥＲ測定装置を用いて構成した自動モニタ装置であって、放送波の受信信号を前記高速ＢＥＲ測定装置に入力し、ＢＥＲ値、等価Ｃ／ＮおよびＣ／Ｎマージンを表示させるとともに、異常時には、アラームを送出することにより、送信機または中継送信機の異常を高速に検出し得るようにしたことを特徴とするものである。
【００２１】
【発明の実施の形態】
以下に添付図面を参照し、発明の実施の形態に基づいて本発明を詳細に説明する。
図１は、本発明高速ＢＥＲ測定装置の第１の実施形態のブロツク図である。
図１において、１はＡ／Ｄ変換器、２は遅延回路、３はデジタル加算器、４はレベル調整回路、５はＩＳＤＢ−Ｔ復調回路、６はビット誤り計数回路、７は遅延回路、８はＴＳ同期計数回路、９はＢＥＲ換算回路、１０は表示部、１１はＢＥＲ管理下限値比較回路、１２は等価Ｃ／ＮおよびＣ／Ｎマージン計算回路、および１３はリレーである。
【００２２】
動作につき説明する。
まず、端子ｃからＩＳＤＢ−Ｔ被測定信号が供給され、Ａ／Ｄ変換器１においてデジタル化される。デジタル化されたＩＳＤＢ−Ｔ被測定信号は２分岐され、遅延回路２とデジタル加算器３に供給される。遅延回路２では、デジタル化されたＩＳＤＢ−Ｔ被測定信号に対しガードインターバル時間を大きく超えて遅延させ、その遅延させた信号をさらにレベル調整回路４でレベル調整したうえで加算器３においてＡ／Ｄ変換器１の出力信号に加算される。
【００２３】
上記において、遅延回路２およびレベル調整回路４からなる信号ルートを設けた理由は、このルートを通った信号をデジタル加算器３で元のＩＳＤＢ−Ｔ被測定信号に加算（雑音加算）することで、ビット誤りが多くなり、ＢＥＲ測定時間の短縮が可能になるからである。なお、遅延回路２の遅延時間は端子ｄを介して遅延時間設定で任意の時間に設定され、レベル調整回路３のレベル調整は端子ｅを介してレベル調整設定で任意のレベルに設定される。
【００２４】
デジタル加算器３の出力信号はＩＳＤＢ−Ｔ復調回路５に供給される。ＩＳＤＢ−Ｔ復調回路５では、ＩＳＤＢ−Ｔ信号はビタビ復号され、ＴＳ（Ｔｒａｎｓｐｏｒｔ  Ｓｔｒｅａｍ）信号となって出力される。ビタビ復号されて得られたＴＳ信号は、さらに、ＲＳ（Ｒｅａｄ  Ｓｏｌｏｍｏｎ）符号などの外符号により誤り訂正され、誤り訂正されたＴＳ（Ｔｒａｎｓｐｏｒｔ  Ｓｔｒｅａｍ）信号となって出力される。
【００２５】
ＲＳ符号により誤り訂正された信号は殆ど誤りがない状態になるので、これをビット誤りを検出するための基準ＴＳ信号として用いることができる。一方、誤り訂正されないＴＳ信号は、誤り訂正された基準ＴＳ信号に時間を合わせのための遅延回路７（遅延時間は、ＲＳ符号による誤り訂正に要する時間）を通したのち、ＩＳＤＢ−Ｔ被測定信号のビット誤りをそのまま有している比較ＴＳ信号として使用する。
この部分の構成は、上述した本発明者らの発明に係る特願２００１−３４０８１４号「モニタ装置」の出願明細書の第５の実施形態と同じであるので参考にされたい。
【００２６】
上述の基準ＴＳ信号と比較ＴＳ信号は、それぞれビット誤り計数回路６の基準信号入力端子および比較信号入力端子に供給される。ビット誤り計数回路６においては、それら供給された基準ＴＳ信号と比較ＴＳ信号の両信号のビット間に相違があるごとに計数値を１増加してビット誤り計数値として出力する。また、基準ＴＳ信号はＴＳ同期を計数するＴＳ同期計数回路８にも供給される。そして同回路がＴＳ同期を計数する際に、その計数値が端子ｂを介して供給されるＴＳＰ（Ｔｒａｎｓｐｏｒｔ  Ｓｔｒｅａｍ  Ｐａｃｋｅｔ  ）連続測定数（Ｎ）設定であらかじめ定めた値（Ｎ）に一致しときリセット信号を出力する。このリセット信号はビット誤り計数回路６とＢＥＲ換算回路９に供給される。
【００２７】
このようにして、ビット誤り計数回路６はビット誤りを計数する毎に計数値を１増加するが、増加の途中で上記のリセット信号を受信することにより計数値をゼロにリセットし、以降、これを繰り返す。
なお、本実施形態では、デジタル波のベースバンド信号伝送方式としてＭＰＥＧ−２  Ｓｙｓｔｅｍ  を想定しているため、リセット信号を生成するタイミング基準として固定パケット長のＴＳＰに着目し、ＴＳＰ同期の検出タイミングと検出数を利用したが、他のパケット分割伝送方式であっても同様な方法を適用することが可能である。
【００２８】
ビット誤り計数回路６の出力信号であるビット誤り計数値は、一方では、ＢＥＲ換算回路９に供給され、ＢＥＲ値に換算されたうえで表示部１０に表示される。このとき、ＴＳ同期計数回路８からのリセット信号を受信すると、増加中のＢＥＲ値がゼロにリセットされる。また、ＢＥＲ値は等価Ｃ／ＮおよびＣ／Ｎマージン計算回路１２にも供給される。
【００２９】
ビット誤り計数回路６の出力信号であるビット誤り計数値は、他方で、管理下限値比較回路１１にも供給され、その供給された計数値は、端子ａを介して供給され、あらかじめ定めたＢＥＲ管理下限値と比較される。この比較は常時行われ、計数中のビット誤り計数値がＢＥＲ管理下限値に達したときＢＥＲ管理下限値検出信号が出力される。
【００３０】
ＢＥＲ管理下限値検出信号が出力されるということは、ビット誤りが多い、すなわち、送信機の動作状態が異常であることを意味し、出力されたＢＥＲ管理下限値検出信号を、送信機を現用系から予備系に切換えるための制御信号として使用する（図１参照）。また、このＢＥＲ管理下限値検出信号は送信機が異常であることを知らせるためのアラームを送出するリレー１３にも供給される（図１参照）。
【００３１】
また、等価Ｃ／ＮおよびＣ／Ｎマージン計算回路１２は、ＢＥＲ換算回路９において得られたＢＥＲ値と、ＩＳＤＢ−Ｔ復調回路５から得られた変調情報信号と、端子ｅを介して供給される任意のレベルとを受信し、等価Ｃ／ＮおよびＣ／Ｎマージンを計算して出力する。ここで、Ｃ／Ｎマージンとは、等価Ｃ／Ｎと所要Ｃ／Ｎの差のことである。
出力された等価Ｃ／ＮおよびＣ／Ｎマージンは表示部１０に供給され、それらの値が表示される。
【００３２】
以上説明した本発明の第１の実施形態の変形例として、ＩＳＤＢ−Ｔ被測定信号の遅延信号（遅延回路２の出力信号）に雑音を加算して故意にビット誤りを多くすることにより、高い等価Ｃ／ＮのＩＳＤＢ−Ｔ被測定信号について、上述例では検出できないＣ／Ｎの微少な変動を、ビット誤りとして検出できるようにできるほか、同じ方法（ＩＳＤＢ−Ｔ被測定信号の遅延信号に雑音を加算する方法）により、高い等価Ｃ／ＮのＩＳＤＢ−Ｔ被測定信号についてのＣ／Ｎマージンの算出も可能となり、高精度なデジタル波の品質管理が可能となる。
【００３３】
図２は、本発明高速ＢＥＲ測定装置の第２の実施形態のブロツク図である。
図２において、１４はアナログ遅延回路、１５はアナログ加算器、１６はレベル調整回路、１７はＡ／Ｄ変換器、１８はＩＳＤＢ−Ｔ復調回路、および１９はパケット検出計数回路であり、それ以外の回路要素は図１と変わらないので同じ符号が付されている。
図１と図２の実施形態で異なる点は、図１において、ＩＳＤＢ−Ｔ被測定信号の遅延処理はデジタル処理としたが、これをアナログ処理としたこと、およびＩＳＤＢ−Ｔ復調回路の出力がＴＳ信号でなくビットストリーム信号になった点である。
【００３４】
図２中、図１と異なる部分についてのみ説明する。
端子ｃから供給されたＩＳＤＢ−Ｔ被測定信号（アナログ信号）は２分岐され、アナログ遅延回路１４とアナログ加算器１５に供給される。アナログ遅延回路１４で遅延された信号はレベル調整回路１６でレベル調整される。
【００３５】
レベル調整回路１６の出力信号は、アナログ加算器１５でＩＳＤＢ−Ｔ被測定信号と加算される。アナログ加算器１５の出力信号はＡ／Ｄ変換器１７でデジタル信号に変換された後、ＩＳＤＢ−Ｔ復調回路１８に供給される。ＩＳＤＢ−Ｔ復調回路１８からは、図１のＩＳＤＢ−Ｔ復調回路５の場合と異なり、内符号訂正された比較ビットストリーム信号と、外符号訂正された基準ビットストリーム信号が出力される。
【００３６】
そして、比較ビットストリーム信号はビット誤り計数回路６の比較信号入力端子に、基準ビットストリーム信号はビット誤り計数回路６の基準信号入力端子とパケット検出計数回路１９に、それぞれ供給される。
上記以外の回路および回路動作は、図１の場合と同じであるので、その説明は省略する。
【００３７】
図３（ａ），（ｂ）は、それぞれ本発明と従来とでＢＥＲ測定開始（時刻リセット）からＢＥＲ管理下限値が検出されるまでに要する時間の違いを比較して示す図である。
まず、本発明では、上述したように、ビット誤り計数回路６から計数中のビット誤り数が管理下限値比較回路１１に供給され、供給されたビット誤り数があらかじめ定めたＢＥＲ管理下限値に達した時点でＢＥＲ管理下限値検出信号を出力するように構成している。
【００３８】
従って、本発明では、図３（ａ）に示すように、時刻リセットから次のリセット（時点Ｔ）までの期間である測定区間Ｌｂｉｔ  中、Ｔ′で示す現時点でＡｂｉｔ  のビット誤りがあり、この時点でＢＥＲ管理下限値（すなわち、Ａｂｉｔ  ）に達したとすると、時点Ｔ′でＢＥＲ管理下限値検出信号が出力される。
【００３９】
一方、従来のＢＥＲモニタにおいては、ビット誤り計数回路の計数出力を一定時間間隔で読み出すようにしている。従って、図３（ｂ）に示すように、測定区間Ｌｂｉｔ  の途中でビット誤りがＡｂｉｔ  になっても、残りの時間を含めた全体のビット誤りを求め、これがＢＥＲ管理下限値を超えているか否かを調べたうえでＢＥＲ管理下限値検出信号を出力するようにしている。従って、時点Ｔ（Ｔ≧Ｔ′）にならないとＢＥＲ管理下限値検出信号は出力されず、高速のＢＥＲ測定はできないことになる。
【００４０】
次に、本発明のように、入力信号を遅延させた信号を雑音として元の入力信号に加算（以下、雑音加算と言う）する方式の高速ＢＥＲ測定装置を用いた等価Ｃ／ＮおよびＣ／Ｎマージンの求め方について説明する。
始めに、本発明装置の特性例１として、本発明装置の入力信号であるＩＳＤＢ−Ｔ信号の等価Ｃ／Ｎに対する本発明装置の復調器入力への等価Ｃ／Ｎ、本発明装置の装置劣化［ｄＢ］、ビタビ復号後のビットエラーレート（ＢＥＲ）およびリードソロモン（ＲＳ：ＲＳ［２０４，１８８］）訂正後のＢＥＲ特性の例を表１に示す。
【００４１】
【表１】
2004228973.tif 000003
【００４２】
なお、表１においては、本発明装置の入力ＩＳＤＢ−Ｔ信号の等価Ｃ／Ｎに対するビタビ復号後のＢＥＲの特性は、電気通信技術審議会「地上デジタルテレビジョン放送方式の技術的条件」（平成１１年５月２４日）の参考資料３に記載された室内実験結果の図Ａ３−２−７の内符号訂正後のガウス雑音特性から読み取った値を用いており、ＩＳＤＢ−Ｔ波の変調条件は、ＭＯＤＥ３、６４ＱＡＭ、符号化率＝７／８、ガードインターバル（ＧＩ）＝１／８、時間インターリーブ（Ｉ）＝０である。
【００４３】
また、図４は、本発明装置の特性例２として、本発明装置におけるビタビ復号後およびＲＳ訂正後のガウス雑音Ｃ／Ｎに対するＢＥＲ特性を示す図である。
【００４４】
上記特性例１から、後の説明で使用する数値を抜き出し、予め説明しておく。
本発明装置の雑音加算器（図１では、遅延回路２、レベル調整回路４およびデジタル加算器３からなる部分、図２では，アナログ遅延回路１４、レベル調整回路１６およびアナログ加算器１５からなる部分）で雑音を加算しない場合において、入力端から復調器出力までを総合した信号劣化をガウス雑音量に置換した量を装置劣化と定義する。この定義により、本発明装置は復調器など各部で信号劣化しない理想回路、装置劣化に相当するガウス雑音発生器とその雑音加算回路により表現することができる。
【００４５】
本発明装置の雑音加算器出力のＩＳＤＢ−Ｔ波の等価Ｃ／Ｎが２３．７ｄＢのとき、装置劣化は３０．５ｄＢであり、復調器入力のＩＳＤＢ−Ｔ波の等価Ｃ／Ｎは２２．８ｄＢ、被測定信号であるビタビ復号後のＴＳ信号のＢＥＲは約５．００Ｅ−５である。このとき、基準信号となるＲＳ訂正後のＴＳ信号のＢＥＲは約１．９２Ｅ−１８で、実用上エラーフリー（疑似エラーフリー）のため、被測定信号と基準信号を１Ｅ＋６ビット比較した場合の誤りビット数は約５０ビットである。この状態を状態１と言う。
【００４６】
同様に、本発明装置の雑音加算器出力のＩＳＤＢ−Ｔ波の等価Ｃ／Ｎが２３．０ｄＢのとき、装置劣化は２９．０ｄＢであり、復調器入力のＩＳＤＢ−Ｔ波の等価Ｃ／Ｎは２２．０ｄＢ、ビタビ復号後のＴＳ信号のＢＥＲは約２．００Ｅ−４である。この場合も、ＲＳ訂正後のＴＳ信号のＢＥＲは約４．００Ｅ−１３で疑似エラーフリーであり、被測定信号と基準信号を１Ｅ＋６ビット比較した場合の誤りビット数は約２００ビットである。この状態を状態２と言う。
【００４７】
次に、本発明装置の雑音加算機能を動作させ、装置の入力信号であるＩＳＤＢ−Ｔ波の等価Ｃ／Ｎの劣化を高速に検出する例について説明する。
図５は、等価Ｃ／Ｎ３５．０ｄＢのＩＳＤＢ−Ｔ波入力時の本発明装置の動作状態を示す図である。なお、図５は、表示の仕方において図１と異なっているが、実質、図１と同じである。
図５において、２０は遅延波雑音源、２１は装置内部の信号劣化、２２は加算器、２３は復調器、および２４はＲＳ［２０４，１８８］訂正器であり、それ以外は、図１と同じ符号を付して示してある。
なお、図１のＩＳＤＢ−Ｔ復調回路５は、図５の復調器２３とＲＳ［２０４，１８８］訂正器２４の両機能を含み、図１のＩＳＤＢ−Ｔ復調回路５を示すブロックの右側からＲＳ訂正出力が、下右側からビタビ復号出力がそれぞれ得られている。
【００４８】
図５に示すように、本例は、本発明装置において入力信号との電力比で−２４．０ｄＢの雑音加算を行うように雑音加算器（遅延波雑音源２０と加算器２１からなる部分）を調整し、等価Ｃ／Ｎ３５．０ｄＢのＩＳＤＢ−Ｔ波を入力した場合で、このとき、本発明装置は入力信号に対して前述の状態１の動作状態になり、１Ｅ＋６ビット毎に約５０ビットの誤りを検出する。
【００４９】
次に、入力ＩＳＤＢ−Ｔ波の等価Ｃ／Ｎが３０．０ｄＢに低下した場合の動作状態について説明する。
図６は、本動作状態を示す図である。なお、図６の回路構成は、図５のそれと同じで、動作状態が変わっているだけである。
このとき、本発明装置は前述の状態２の動作状態になり、ビット誤りの計数値は１Ｅ＋６ビット毎に約２００ビットに増加する。従って、ビット誤り警報の計数しきい値を２００ビット未満（例えば、１９０ビット）に設定すれば、入力ＩＳＤＢ−Ｔ波の等価Ｃ／Ｎが３０．０ｄＢ以下になったことが検出できる。
【００５０】
ここで、本発明装置の雑音加算器で雑音加算しない場合のビット誤り検出について考察する。
これは、復調器入力（図６参照）信号の等価Ｃ／Ｎに対するビツト誤りそのものの測定である。表１から、本発明装置の装置劣化は概ね３０ｄＢであり、入力信号の等価Ｃ／Ｎが３０ｄＢ以上における装置劣化を３０ｄＢに仮定すると、復調器への入力ＩＳＤＢ−Ｔ波の等価Ｃ／Ｎは２７ｄＢ以上になる。図５から、本発明装置への入力信号の等価Ｃ／Ｎが２７ｄＢ以上ならば、ビタビ復号後のＢＥＲは１Ｅ−６未満であると予想されるため、１Ｅ＋６ビット期間の誤り計数では殆どの場合は全く計数されない。Ｅ−７の精度で信頼できる誤り計数値を安定して得るには、少なくとも、１Ｅ＋８ビット期間で誤り計数が必要となる。
【００５１】
ＩＳＤＢ−Ｔ信号は、１３セグメントを利用して最大３階層（Ａ，Ｂ，Ｃ）を用いてそれぞれ独立してＴＳ信号の伝送が可能である。以下では、変調方式を、ＭＯＤＥ３、ＧＩ＝１／８、Ｉ＝０、全セグメントともに６４ＱＡＭ、符号化率７／８とし、Ａ階層に１２セグメントを割り当て、Ｂ階層に１セグメントを割り当てた場合について詳細な検討を行う。
【００５２】
この場合のＯＦＤＭフレーム長は２３１．３３６ミリ秒であり、１フレームで伝送できるトランスポートストリームパケット（ＴＳＰ）の数は、Ａ階層、Ｂ階層でそれぞれ３，０２４ＴＳＰ、２５２ＴＳＰである。１ＴＳＰは２０４バイトで構成されるため、Ａ階層の伝送ビットレートは、３，０２４×２０４×８／０．２３１３３６（ｂｐｓ）、Ｂ階層の伝送ビットレートは、２５２×２０４×８／０．２３１３３６（ｂｐｓ）である。
【００５３】
本発明装置におけるビット誤りの測定区間はＴＳＰビット長の整数倍を基本とし、ビット誤りの高速検出を用いない場合はＴＳＰ末端毎に誤り計数値を出力し、測定最終ＴＳＰ末端を含む各計数値を合算する。雑音加算せずに１Ｅ＋８ビットの測定で１Ｅ−７精度のビット誤りを計数するには、６１２７５個のＴＳＰについて連続測定が必要である。
【００５４】
Ａ階層について６１２７５個のＴＳＰを測定するに要する時間は、（６１２７５／３０２４）×０．２３１３３６＝約４．７秒が必要で、Ｂ階層では、同様に（６１２７５／２５２）×０．２３１３３６＝約５６．３秒が必要で、階層の伝送ビットレートが低くなるほど長時間の測定が必要である。さらに、等価Ｃ／Ｎが高い入力信号の等価Ｃ／Ｎを検出したい場合には、さらに長時間の測定が必要になり、送信機の特性劣化や異常監視の用途には不適当である。
【００５５】
一方、本発明装置において、図６に示した例において雑音加算を行った場合、等価Ｃ／Ｎ３０．０ｄＢの入力ＩＳＤＢ−Ｔ波は、雑音加算によって復調器２３（図６参照）入力で状態２に示した２２．０ｄＢの等価Ｃ／Ｎの信号に変換され、１Ｅ＋６ビットの期間中で約２００ビットのビット誤りとして安定に検出することができる。１Ｅ＋６ビット期間を満足するＴＳＰ数は６１３であるため、Ａ階層の測定時間は（６１３／３０２４）×０．２３１３３６×１０００＝約４６．９ミリ秒、Ｂ階層は（６１３／２５２）×０．２３１３３６×１０００＝約５６３ミリ秒となり、いずれ場合にも、約１／１００に高速化される。
さらに、本発明装置では、雑音加算量を任意に設定することができるため、任意の等価Ｃ／Ｎを設定してＢＥＲを検出し得る。それ故、本発明装置による雑音加算方式は送信機の特性劣化や異常監視の用途などに、極めて優れた方式である。
【００５６】
次に、入力ＩＳＤＢ−Ｔ波の等価Ｃ／Ｎが２７．８ｄＢに低下した場合の動作状態について説明する。
図７は、本動作状態を示す図である。なお、図７の回路構成は、図５のそれと同じで、動作状態が変わっているだけである。
【００５７】
本例の場合、装置劣化は２９．０ｄＢ、復調器入力のＩＳＤＢ−Ｔ波の等価Ｃ／Ｎは２１．６ｄＢである。ビタビ復号後のＴＳ信号のＢＥＲは約６．００−４となり、概ね１ＴＳＰに１個のビツト誤りが含まれる。この誤りの大半はＲＳ訂正され、疑似エラーフリーには達しないがＲＳ訂正後のＴＳ信号のＢＥＲは約４．５０Ｅ−９となり、被測定信号と基準信号を上述と同様に６１３ＴＳＰ個連続比較すれば、ほぼ安定して約６００個のビット誤りを計数することができる。入力信号の等価Ｃ／Ｎが、送信装置の増幅器における非直線性歪みに起因した相互変調（Ｉｎｔｅｒ  Ｍｏｄｕｌａｔｉｏｎ）の増加などガウス雑音性の要因で劣化した場合には、このビット誤りは測定区間に均等に分散する。
【００５８】
ビット誤りの高速検出は、ビット誤り測定区間中においても、図３に示したように、ビット誤り計数しきい値を越えた時点で警報を出力するものである。いま、しきい値を前述の説明に合わせ、２００ビット未満（例えば、１９０）とした場合、測定開始から約２００ＴＳＰで警報出力を行うことができ、本発明による高速検出を用いない場合に比べて警報出力までの時間をさらに１／３に低減することができる。Ａ階層は約１５．６ミリ秒、Ｂ階層は約１８８ミリ秒で検出可能であり、送信機の異常を極めて高速に検出して予備系に自動切替制御するなどの応用が期待できる。
【００５９】
以下に、本発明高速ＢＥＲ測定装置の応用例について説明する。
図８は、送信機の出力を監視するのに、本発明高速ＢＥＲ測定装置を用いて構成した本発明による自動モニタの一実施形態を示す図である。
図８において、２５は送信機、２６は本発明高速ＢＥＲ測定装置である。
なお、図８ないし図１２では、本発明高速ＢＥＲ測定装置に被測定高周波信号を直接供給しているように見えるが、実際には、ＢＥＲ測定装置の入力側に高周波／中間周波変換器を配置して中間周波信号（ＩＦ信号）に変換して供給するものとする。
【００６０】
本実施形態においては、送信機２５から送信空中線系への給電線に電磁結合させてモニタされるべき信号を取り出し、本発明高速ＢＥＲ測定装置２６に供給している。すなわち、送信機２５が地上デジタルテレビ放送のＩＳＤＢ−Ｔ信号を増幅する送信機であるとすると、高速ＢＥＲ測定装置２６には送信機出力のＩＳＤＢ−Ｔ信号が入力される。
【００６１】
高速ＢＥＲ測定装置２６は、常時、送信機出力のＢＥＲ値、等価Ｃ／ＮおよびＣ／Ｎマージンを表示部１０に表示し（図１，２参照）、送信機２５の動作状態の微少な変化を監視するようにしている。もし、モニタされるべき信号のＢＥＲ値がクリフエフェクトに到る以前のあらかじめ定めた値に達した場合、送信機の動作が異常であると判断し、予備機の送信機への切換えや、リレー１３を動作させて異常であることを知らせるアラームを送出する（図１，２参照）。
【００６２】
図９は、中継送信機の受信部等の受信デジタル波のＣ／Ｎマージン測定に、本発明高速ＢＥＲ測定装置を用いて構成した本発明による自動モニタの一実施形態を示す図である。
図９において、２７は受信空中線である。
本実施形態は、放送エリア内の電波の状態を測定するフィールドチェック、あるいは中継放送局における受信信号の異常検出等を行うのに適している。また、中継放送局において受信信号の異常を検出した場合には、アラームを送出する。
【００６３】
図１０は、中継送信機の入力側と出力側に、本発明高速ＢＥＲ測定装置をそれぞれ使用して構成した本発明による自動モニタの一実施形態を示す図である。
図１０において、２６−１，２６−２は本発明高速ＢＥＲ測定装置、２８は受信空中線、２９は分配器、３０は現用受信部、３１は現用送信機、３２は切換器、および３３は送信空中線である。
本実施形態は、高速ＢＥＲ測定装置２６−１で受信電波の質を、高速ＢＥＲ測定装置２６−２で現用送信機の送信出力をそれぞれ監視することで、現用送信機３１の送信出力が低下した場合、障害が当該中継放送局以前の上位局に起因するものか、当該中継放送局の設備（現用受信部３０、現用送信機３１を含む）に起因するものかを切り分けるのに適している。
【００６４】
図１１は、現用、予備の送信機の出力を監視するのに本発明高速ＢＥＲ測定装置をそれぞれ使用して構成した本発明による自動モニタの一実施形態を示す図である。
図１１において、２６−３，２６−４は本発明高速ＢＥＲ測定装置、３４は現用送信機、３５は予備送信機であり、それ以外の回路要素には図１０におけると同じ符号が付されている。
このように高速ＢＥＲ測定装置２６−３，２６−４を現用、予備の送信機３４，３５ごとにそれぞれ配置することにより、現用送信機３４を使用して放送中に同送信機が異常状態になり、ＢＥＲ値が大幅に劣化した場合、これを高速ＢＥＲ測定装置２６−３で高速に検出し、予備送信機３５に瞬時に切換えることが可能になる。また、予備送信機３５に切換えた後には、高速ＢＥＲ測定装置２６−４で予備機の系統に異常がないかをＢＥＲ値その他により確認する。
【００６５】
図１２は、中継送信機の受信回線に冗長系（例えば、上位局放送波など）がある場合に、現用および予備の受信回線の状態を監視するのに本発明高速ＢＥＲ測定装置をそれぞれ使用して構成した本発明による自動モニタの一実施形態を示す図である。
図１２において、２６−５，２６−６は本発明高速ＢＥＲ測定装置、３６は現用回線の受信アンテナ、３７は分配器、３８は現用受信部、３９は予備回線の受信アンテナ、４０は分配器、４１は予備受信部、および４２は切換器である。
【００６６】
マイクロ波の固定無線回線（上位局番組回線）で構成される現用回線および上位放送局の電波そのものを受信する予備回線の両方を具えた中継送信機において、現用回線の受信アンテナ３６で受信され、中間周波信号に変換された信号は分配器３７で２分配され、一方は現用受信部３８へ、他方は高速ＢＥＲ測定装置２６−５にそれぞれ供給される。また、予備回線の受信アンテナ３９で受信された信号は分配器４０で２分配され、一方は予備受信部４１へ、他方は高速ＢＥＲ測定装置２６−６にそれぞれ供給される。
【００６７】
上記において、高速ＢＥＲ測定装置２６−５は現用回線の受信信号のＣ／Ｎマージンを、高速ＢＥＲ測定装置２６−６は予備回線の受信信号のＣ／Ｎマージンを常時それぞれ測定している。いま、現用回線の障害で受信信号のＣ／Ｎマージンが大幅に低下したとすると、高速ＢＥＲ測定装置２６−５はアラームを送出するとともに、高速ＢＥＲ測定装置２６−６で予備回線の受信信号のＣ／Ｎマージンが異常でないことを確認したうえで、予備受信部を使用するように切換信号を出力して切換器４２を作動させ、瞬時に冗長系に切換える。
【００６８】
このようなシステムを使用することにより、現用、予備の各受信部が相互に異なる固定無線回線、上位局放送波等を受信して、一方が受信障害となったときには、速やかにかつ自動的に良好な受信系を選択するルートダイバーシチ受信機を実現することができる。
【００６９】
以上説明した本発明による自動モニタ装置は、入力信号としてのモニタ入力信号を地上デジタルテレビ放送波のＩＳＤＢ−Ｔ信号としたが、これは必ずしもＩＳＤＢ−Ｔ信号に限られるものでなく、外符号と内符号を用いて符号化変調された全てのデジタル波に対して、それらをモニタすべき信号として適用可能である。
【００７０】
【発明の効果】
本発明によれば、運用中の送信機について異常の有無を簡易にモニタすることができ、異常時には、速やかに予備機へ切換えることができる。加えて、本発明装置は、送信機出力のＢＥＲとＣ／Ｎマージンを常時監視することができ、送信機がどういう状態にあるかを即座に判断することが可能になる。また、受信したデジタル波の状態についても即座に判断することが可能になる。
【００７１】
また、送信機の周波数特性の劣化、相互変調量の増加、出力低下、および位相雑音（局部発振器の）などはすべてＢＥＲの劣化として検出される。このため、ＢＥＲ値そのものとＢＥＲの劣化、およびＣ／Ｎマージンを高速かつ確実に監視できる本発明装置はＩＳＤＢ−Ｔ信号のモニタとして大いに有効である。
【図面の簡単な説明】
【図１】本発明高速ＢＥＲ測定装置の第１の実施形態のブロツク図である。
【図２】本発明高速ＢＥＲ測定装置の第２の実施形態のブロツク図である。
【図３】本発明と従来とでＢＥＲ測定開始（時刻リセット）からＢＥＲ管理下限値が検出されるまでに要する時間の違いを比較して示す図である。
【図４】本発明装置におけるビタビ復号後およびＲＳ訂正後のガウス雑音Ｃ／Ｎに対するＢＥＲ特性を示す図である。
【図５】等価Ｃ／Ｎ３５．０ｄＢのＩＳＤＢ−Ｔ波入力時の本発明装置の動作状態を示す図である。
【図６】入力ＩＳＤＢ−Ｔ波の等価Ｃ／Ｎが３０．０ｄＢに低下した場合の動作状態を示す図である。
【図７】入力ＩＳＤＢ−Ｔ波の等価Ｃ／Ｎが２７．８ｄＢに低下した場合の動作状態を示す図である。
【図８】送信機の出力を監視するのに、本発明高速ＢＥＲ測定装置を用いて構成した本発明による自動モニタの一実施形態を示す図である。
【図９】中継送信機の受信部等の受信デジタル波のＣ／Ｎマージン測定に、本発明高速ＢＥＲ測定装置を用いて構成した本発明による自動モニタの一実施形態を示す図である。
【図１０】中継送信機の入力側と出力側に、本発明高速ＢＥＲ測定装置をそれぞれ使用して構成した本発明による自動モニタの一実施形態を示す図である。
【図１１】現用、予備の送信機の出力を監視するのに本発明高速ＢＥＲ測定装置をそれぞれ使用して構成した本発明による自動モニタの一実施形態を示す図である。
【図１２】中継送信機の受信回線に冗長系がある場合に、現用および予備の受信回線の状態を監視するのに本発明高速ＢＥＲ測定装置をそれぞれ使用して構成した本発明による自動モニタの一実施形態を示す図である。
【符号の説明】
１  Ａ／Ｄ変換器
２  遅延回路
３  デジタル加算器
４  レベル調整回路
５  ＩＳＤＢ−Ｔ復調回路
６  ビット誤り計数回路
７  遅延回路
８  ＴＳ同期計数回路
９  ＢＥＲ換算回路
１０  表示部
１１  管理下限値比較回路
１２  等価Ｃ／ＮおよびＣ／Ｎマージン計算回路
１３  リレー
１４  アナログ遅延回路
１５  アナログ加算器
１６  レベル調整回路
１７  Ａ／Ｄ変換器
１８  ＩＳＤＢ−Ｔ復調回路
１９  パケット検出計数回路
２０  遅延波雑音源
２１  装置内部の信号劣化
２２  加算器
２３  復調器
２４  ＲＳ［２０４，１８８］訂正器
２５  送信機
２６  ２６−１，２６−２，２６−３，２６−４，２６−５，２６−６  高速ＢＥＲ測定装置
２７  受信空中線
２８  受信空中線
２９  分配器
３０  現用受信部
３１  現用送信機
３２  切換器
３３  送信空中線
３４  現用送信機
３５  予備送信機
３６  現用回線の受信アンテナ
３７，４０  分配器
３８  現用受信部
３９  予備回線の受信アンテナ
４１  予備受信部
４２  切換器
【図１】
2004228973.tif 000004
【図２】
2004228973.tif 000005
【図３】
2004228973.tif 000006
【図４】
2004228973.tif 000007
【図５】
2004228973.tif 000008
【図６】
2004228973.tif 000009
【図７】
2004228973.tif 000010
【図８】
2004228973.tif 000011
【図９】
2004228973.tif 000012
【図１０】
2004228973.tif 000013
【図１１】
2004228973.tif 000014
【図１２】
2004228973.tif 000015